(57)【特許請求の範囲】
【請求項１】
表示板上の指標部に沿って指針を指示するようにしたアナログ式指示計器と、指針に模した表示画像が表示可能なディスプレイパネル指示計器とが並んで設けられる計器装置において、前記ディスプレイパネル指示計器に設けられたディスプレイパネルの背後に、少なくとも指標部が設けられた光透過性の背景部材を配置し、前記背景部材の背後に、前記ディスプレイパネルに前記背景部材を介して照明光を照射する光源を配置し、前記ディスプレイパネルに表示する前記指針に模した前記表示画像と、前記背景部材に設けられた前記指標部とを前後方向に積層配置してなることを特徴とする計器装置。
【請求項２】
前記指針の色味と、前記指針に模した前記表示画像の色味とを、同系色の色合いにて設けてなることを特徴とする請求項１に記載の計器装置。
【請求項３】
前記指針に模した前記表示画像に変えて優先順位の高い警告表示画像を表示してなることを特徴とする請求項１に記載の計器装置。
【請求項４】
前記指針に模した前記表示画像の中央部に優先順位の高い警告表示画像を表示してなることを特徴とする請求項１に記載の計器装置。
【発明の詳細な説明】
【技術分野】
【０００１】
本発明は、例えば自動車などの車両情報（計測情報）を表示する計器装置に関するものである。
【背景技術】
【０００２】
車両（特に自動車）に搭載される計器装置にあっては、車速やエンジン回転数等を表示する計器装置（メータ）が配置される。このような計器装置（メータ）は、表示板（文字板）上の指標部に沿って指針を指示するようにしたアナログ式指示計器が従来から適用されている。
【０００３】
近年では、前述した指針によるアナログ式指示計器に加え、例えば、液晶パネル、ＥＬパネル、その他のフラットディスプレイパネルからなるディスプレイ表示（画像表示）による指示計器が併備されている。
【０００４】
この場合、指針の指示によるアナログ式計器に合わせて、ディスプレイ表示（画像表示）による指示計器として、指針に模した表示画像からなるアナログ表示画像にて表示する計指示器が特許文献１などにおいて知られている。
【先行技術文献】
【特許文献】
【０００５】
【特許文献１】特開２００５ー２３９０４２号公報
【発明の概要】
【発明が解決しようとする課題】
【０００６】
このように表示板（文字板）上の指標部に沿って指針を指示するようにしたアナログ式指示計器と、指針に模した表示画像からなるアナログ表示画像にて表示する指示計器とを併備することによって、それぞれアナログ的に表示することができるという点で統一感を出すことができるというメリットがある。
【０００７】
しかしながら、特許文献１に記載の計器の構成では、表示板の前面側に配置される指針によるアナログ式指示計器と、フラットディスプレイパネルに表示される指針に模した表示画像と指標部（目盛など）からなる指示計器においては、実際に指針が前面側に配置されるアナログ式指示計器は、指針と表示板および指標部との間において奥行き感があるものの、フラットディスプレイパネルに表示されるアナログ表示では、指針に模した表示画像と背景の表示板の奥行き感や立体感、指針に模した表示画像と指標部との間隔による奥行き感などが表現不可能であり、隣接して配置される指針が前面側に配置されるアナログ式指示計器との一体感がなく、全体のバランスがとれず、商品性が低下すると言った問題点があった。
【０００８】
そこで、本発明は、上述した課題に着目してなされたものであり、表示板上の指標部に沿って指針を指示するようにしたアナログ式指示計器と、指針に模した表示画像が表示可能なアナログ式ディスプレイパネル指示計器との統一感を保ちつつ、それぞれの指示計器の奥行き感を演出することのできる計器装置を提供することを目的とする。
【課題を解決するための手段】
【０００９】
本発明は前述した課題を解決するため、請求項１では、表示板上の指標部に沿って指針を指示するようにしたアナログ式指示計器と、指針に模した表示画像が表示可能なアナログ式ディスプレイパネル指示計器とが並んで設けられる計器装置において、前記アナログ式ディスプレイパネル指示計器に設けられたディスプレイパネルの背後に、少なくとも指標部が設けられた光透過性の背景部材を配置し、前記背景部材の背後に、前記ディスプレイパネルに前記背景部材を介して照明光を照射する光源を配置し、前記ディスプレイパネルに表示する前記指針に模した前記表示画像と、前記背景部材に設けられた前記指標部とを前後方向に積層配置してなることを特徴とするものである。
【００１０】
このように構成することにより、指針に模した表示画像が表示可能なディスプレイパネル指示計器に設けられたディスプレイパネルの背後に指標部が設けられた背景部材を配置することによって奥行き感（立体感）を表現することができ、これにより表示板上の指標部に沿って指針を指示するようにしたアナログ式指示計器の奥行き感とアナログ式ディスプレイパネル指示計器との奥行き表現とがよりマッチングするため指示計器の一体感を強調することができ商品性を高めることができる。
【００１１】
また請求項２では、請求項１に記載の計器装置において、前記指針の色味と、前記指針に模した前記表示画像の色味とを、同系色の色合いにて設けてなることを特徴とするものである。
【００１２】
このように構成することにより、奥行き感を表現することができるとともに、指針と指針に模した表示画像との色味を同系色に合わせることによって、それぞれの指示計器をバランス良く表示することができ、指示計器の一体感を強調することができる。
【００１３】
また請求項３では、請求項１に記載の計器装置において、前記指針に模した前記表示画像に変えて優先順位の高い警告表示画像を表示してなることを特徴とするものである。
【００１４】
このように構成することにより、例えば車両などに異常などが生じた場合において、緊急度の高い警告内容をディスプレイパネルに表示する指針に模した表示画像に変えて、優先順位の高い警告表示画像を表示することによって、異常状態を的確に確認することができる。
【００１５】
また請求項４では、請求項１に記載の計器装置において、前記指針に模した前記表示画像の中央部に優先順位の高い警告表示画像を表示してなることを特徴とするものである。
【００１６】
このように構成することにより、指針の表示画像による指示と、優先順位の高い警告表示画像を表示することによって、異常状態を的確に確認することができる。
【発明の効果】
【００１７】
本発明では、表示板上の指標部に沿って指針を指示するようにしたアナログ式指示計器と、指針に模した表示画像が表示可能なアナログ式ディスプレイパネル指示計器とが並んで設けられる計器装置において、前記アナログ式ディスプレイパネル指示計器に設けられたディスプレイパネルの背後に、少なくとも指標部が設けられた光透過性の背景部材を配置し、前記背景部材の背後に、前記ディスプレイパネルに前記背景部材を介して照明光を照射する光源を配置し、前記ディスプレイパネルに表示する前記指針に模した前記表示画像と、前記背景部材に設けられた前記指標部とを前後方向に積層配置してなることを特徴とする計器装置であるため、指針に模した表示画像が表示可能なディスプレイパネル指示計器に設けられたディスプレイパネルの背後に指標部が設けられた背景部材を配置することによって奥行き感（立体感）を表現することができ、これにより表示板上の指標部に沿って指針を指示するようにしたアナログ式指示計器の奥行き感とディスプレイパネル指示計器との奥行き表現とがよりマッチングするため指示計器の一体感を強調することができ、商品性を高めることができるものであり、これにより所期の目的を達成することができる。
【図面の簡単な説明】
【００１８】
【図１】本発明の実施形態である計器装置を示す正面図。
【図２】本発明の第１の実施形態の要部箇所を示す断面図。
【図３】第１の実施形態（エンジン回転計）の指示状態の変化例を示す正面図。
【図４】本発明の第２の実施形態の要部箇所を示す断面図。
【図５】第２の実施形態（エンジン回転計）の指示状態の変化例を示す正面図。
【発明を実施するための最良の形態】
【００１９】
本発明の対象とする計器装置としては、たとえば自動車のダッシュボードに搭載されるコンビネーションメータからなるもので、以下本発明の第１の実施形態を図１から図３に基づいて説明する。
【００２０】
同図において、外装部材であるケース１内部の右側には、速度計（スピードメータ）などの情報を表示する表示部材である周知な指針式の計器からなるアナログ式指示計器Ｍ１が収納され、このアナログ式指示計器Ｍ１の計器本体２(ムーブメント)の前面側には表示板３が取付固定され、計器本体２の回転軸４に組み付けられた指針５の指示を表示板３に施した目盛や文字などの指標部３Ａと対比判読するようにしている。
【００２１】
またアナログ式指示計器Ｍ１は硬質の回路基板６に実装され、外装部材であるケース１内に組み付け固定されている。
【００２２】
回路基板６上には、指針５や表示板３に施された指標部３Ａを照明表示するための光源である発光ダイオード７が実装されている。
【００２３】
この場合、指針５は合成樹脂製の透過性材料からなり、指針５の指示部箇所はたとえばオレンジ色に着色され、光源である発光ダイオード７の光線によって照明されるように設けられている。
【００２４】
また、表示板３の基板の表面には、前述したように目盛や文字や記号などの指標部３Ａがたとえば黒色などのインクによって施されるとともに、表示板３の表面のほぼ全領域には表示板３の背景色となる白色系のインクによって地色部３Ｂが施されており、光源である発光ダイオード７の光線によって地色部３Ｂ箇所が透過照明されるように形成されている。
【００２５】
またケース１内部の左側には、エンジン回転計（タコメータ）などの情報を表示する表示部材であるフラットディスプレイパネル、たとえば指針に模した表示画像２１が表示可能な液晶表示パネル２０からなるディスプレイパネル指示計器Ｍ２が収納され、このディスプレイパネル指示計器Ｍ２も前述した回路基板６上に実装され、外装部材であるケース１内に組み付け固定されている。
【００２６】
ディスプレイパネル指示計器Ｍ２のフラットディスプレイパネルを構成する液晶表示パネル２０の背後には、少なくとも指標部３１が設けられた光透過性の背景部材３０が配置されている。本実施形態においては、白色の透過性を有する合成樹脂製のパネルからなる背景部材３０が液晶表示パネル２０の背後に配置されており、白色からなる背景部材３０の表面側には、たとえば不透過性の黒色のインクによって目盛などの指標部３１が施されている。
【００２７】
また背景部材３０の背後には、ディスプレイパネルである液晶表示パネル２０に背景部材３０を介して透過照射する光源となる発光ダイオード７０が配置されている。
【００２８】
なお、速度計であるアナログ式指示計器Ｍ１と、エンジン回転計であるディスプレイパネル指示計器Ｍ２との前面側には、アナログ式指示計器Ｍ１と、ディスプレイパネル指示計器Ｍ２との間を仕切るための見返しパネル１Ａが設けられている。
【００２９】
このように構成された第１の実施形態における計器装置では、図３に示すように、ディスプレイパネルである液晶表示パネル２０に表示する指針に模した表示画像２１は、指針２の指示部箇所の色合い（色味）であるオレンジ色に指針に模した表示画像２１の色合いを同系色（オレンジ色）に合わせることによって、それぞれの指示計器Ｍ１，Ｍ２をバランス良く表示することができ、各指示計器Ｍ１，Ｍ２の一体感を強調することができる。
【００３０】
またディスプレイパネルである液晶表示パネル２０に表示するオレンジ色からなる指針に模した表示画像２１と、この表示画像２１の背後に配置された白色の背景部材３０およびその背景部材３０に施された黒色の指標部３１とを前後方向に積層配置してなることにより、指針に模した表示画像２１が表示可能なディスプレイパネル指示計器Ｍ２に設けられたディスプレイパネルとなる透過可能な液晶表示パネル２０の背後に指標部３１が設けられた背景部材３０を配置することによって奥行き感（立体感）を表現することができ、これにより表示板３上の指標部３Ａに沿って指針５を指示するようにしたアナログ式指示計器Ｍ１の奥行き感と、ディスプレイパネル指示計器Ｍ２との奥行き表現とがよりマッチングするため、それぞれの指示計器Ｍ１，Ｍ２の一体感を強調することができ商品性を高めることができる。
【００３１】
また回路基板６に実装された光源である発光ダイオード７の発光によって、表示板３は黒色の指標部３Ａを背景として透光性の白色からなる地色部３Ｂが透過照明されるとともにシルエットとして指標部３Ａが見えるものであり、この際、指針３もオレンジ色にて発光表示される。
【００３２】
また回路基板６に実装された光源である発光ダイオード７０の発光によって、白色の背景部材３０が透過照明されるとともに、シルエットとして背景部材３０に印刷形成された黒色の指標部３１が浮かび上がって見えるものであり、液晶表示パネル２０による指針の表示画像２１の背後に、背景部材３０に施された指標部３１が所定の間隔を隔てて前後に配置されて見えるため、奥行き感を強調することができる。
【００３３】
また図３に示すように、液晶表示パネル２０に表示する表示画像２１の指針の長さを短くし、その短くした指針の表示画像２１の中央部側に、車両などの警報情報たとえば優先順位の高い警告表示画像２２を表示することによって、異常状態を的確に確認することができる。たとえば警告表示情報２２として、燃料量の減少による警告表示や図示しないがエンジンの水温が正常値を超えたりした場合に、アナログ式ディスプレイパネル指示計器Ｍ２の中央部に警告表示画像２２が車両の警告状態に応じて表示することができ、その状態判別を的確に確認することができる。なお、エンジンの回転計も指針の表示画像２１が短くはなっているものの、回転数を指示することによって把握することができる。
【００３４】
図４および図５は、本発明の第２の実施形態を示すものであり、前述した第１の実施形態と同一部分、均等箇所については同一符号を付して説明する。
【００３５】
この第２の実施形態にあっては、前述した第１の実施形態と同様にして、外装部材であるケース１内部の右側には、速度計（スピードメータ）などの情報を表示する表示部材である周知な指針式の計器からなるアナログ式指示計器Ｍ１が収納され、このアナログ式指示計器Ｍ１の計器本体２(ムーブメント)の前面側には表示板３が取付固定され、計器本体２の回転軸４に組み付けられた指針５の指示を表示板３に施した目盛や文字などの指標部３Ａと対比判読するようにしている。
【００３６】
なお、表示板３は、中央部が凹み、外周部が表面側に突出するように絞り形成した基板によって形成されており、前述した第１の実施形態と同様にして表示板３の基板の表面には、前述したように目盛や文字や記号などの指標部３Ａがたとえば黒色などのインクによって施されるとともに、表示板３の表面のほぼ全領域には表示板３の背景色となる白色系のインクによって地色部３Ｂが施されている。
【００３７】
またケース１内部の左側には、エンジン回転計（タコメータ）などの情報を表示する表示部材である指針に模した表示画像２１が表示可能な液晶表示パネル２０からなるディスプレイパネル指示計器Ｍ２が収納され、このディスプレイパネル指示計器Ｍ２も前述した第１の実施形態と同様にして回路基板６上に実装され、外装部材であるケース１内に組み付け固定されている。
【００３８】
ディスプレイパネル指示計器Ｍ２のフラットディスプレイパネルを構成する透過可能な液晶表示パネル２０の背後には、少なくとも指標部３１が設けられた光透過性の背景部材３０が配置されている。本実施形態においては、白色の透過性を有する合成樹脂製のパネルからなる背景部材３０が液晶表示パネル２０の背後に配置されており、白色からなる背景部材３０の表面側には、たとえば不透過性の黒色のインクによって目盛などの指標部３１が施されている。
【００３９】
また合成樹脂製のパネルからなる背景部材３０は、表示板３と同様にして中央部が凹み、外周部が前面側に突出するように設けられている。
【００４０】
また第２の実施形態にあっては、エンジン回転計を画像表示するディスプレイパネル指示計器Ｍ２において、指針に模した表示画像２１に変えて、警告表示画像を優先的に表示するように設けるように構成している。
【００４１】
すなわち、液晶表示パネル２０に表示する指針に模した表示画像２１に置き換えて、表示画像の中央部には、図４に示すように、車両などの警報情報たとえば優先順位の高い警告表示画像２２を表示することによって、異常状態を的確に確認することができるように構成している。
【００４２】
このように構成された第２の実施形態における計器装置においては、たとえば警告表示情報２２として、燃料計の燃料量の減少による警告表示や車両のエンジンの水温が正常値を超えたりした場合に、指針に模した表示画像２１を表示することなく、ディスプレイパネル指示計器Ｍ２の中央部の表示画像領域に警告表示画像２２のみを車両の警告状態に応じて表示することができるため、その状態判別を的確に確認することができる。
【００４３】
また表示板３あるいは背景部材３０を凹凸状に形成してなるため、指針５や指針に模した表示画像２１との間における奥行き感を更に強調することができるものであり、これによりアナログ式指示計器Ｍ１とディスプレイパネル指示計器Ｍ２との奥行き表現とを強調しつつ、それぞれの指示計器Ｍ１，Ｍ２の一体感も得られることができ商品性を高めることができる。
【００４４】
また本発明は上述した実施形態に限定されるものではなく、次のように変形または拡張することができる。上述の実施形態では、本発明によるディスプレイパネル指示計器Ｍ２としてエンジン回転計を例にして説明していたが、エンジンの水温計や燃料の残量計などの指示計器など、指針に模した表示画像を表示するものであれば各種の指示計器に用いることができる。
【００４５】
また警告表示画像として、燃料量の減少による警告表示やエンジンの水温が正常値を超えた場合を例にして説明したが、警告表示としてたとえば、シートベルト警告、ドア警告、ハイビーム警告、排気温警告、チャージ警告など、各種のインジケータ表示に用いることができる。
【産業上の利用可能性】
【００４６】
また、前述した実施形態において詳述したように、自動車における計器装置を例にして説明したが、車両用に限らず船舶用計器あるいは農業用機械や建設機械などの計器装置などにおいても適用することが可能であり、同様な効果を得ることができる。
【符号の説明】
【００４７】
Ｍ１  アナログ式指示計器
Ｍ２  ディスプレイパネル指示計器
１  ケース
１Ａ  見返しパネル
２  計器本体
３  表示板
３Ａ  指標部
３Ｂ  地色部
４  回転軸
５  指針
６  回路基板
７  発光ダイオード
２０  液晶表示パネル（ディスプレイパネル）
２１  表示画像
２２  警告表示画像
３０  背景部材
３１  指標部
７０  発光ダイオード
【図１】
0005488431.tif 000002
【図２】
0005488431.tif 000003
【図３】
0005488431.tif 000004
【図４】
0005488431.tif 000005
【図５】
0005488431.tif 000006